(57)【特許請求の範囲】
【請求項１】
被加熱物を収容する加熱室と、透視部を有するドアを備え、
前記加熱室の上壁面もしくは側壁面には、透光性の開口部と、庫内灯を設けた高周波加熱装置において、
前記庫内灯の発光方向の中心が、前記加熱室の前記被加熱物の取出し用開口部中心から前方へ３０〜４０ｃｍ程度離れた地点を基準として視野方向に対して１００°以下となるように配置され、
前記庫内灯は、複数のＬＥＤ素子が実装された基板で構成され、
前記庫内灯を構成する前記ＬＥＤ素子は一列に配列され、
前記複数のＬＥＤ素子が一つのセルを構成しこのセルが複数並列に接続され、
前記庫内灯を構成する前記ＬＥＤ素子の配列は前記各セルのＬＥＤ素子が順次配列されることを特徴とする高周波加熱装置。
【発明の詳細な説明】
【技術分野】
【０００１】
本発明は、高周波加熱装置を構成する庫内灯および庫内灯を取付方法に関するものである。
【背景技術】
【０００２】
近年、消費電力の低減が求められる中、電球からＬＥＤ（ｌｉｇｈｔ−ｅｍｉｔｔｉｎｇ  ｄｉｏｄｅ  発光ダイオード）への置き換えが一般的に認知されるようになってきた。高周波加熱装置の技術分野においても庫内灯に電球を使用しており、これをＬＥＤに置換えることで、消費電力の削減が可能となる。
【０００３】
一方、従来、高周波加熱装置の庫内灯の取付方法において、反射板等を利用して光源が庫内中央に集中するような構成をとり、食品を見え易くすることを実現していた。
【先行技術文献】
【特許文献】
【０００４】
【特許文献１】特開平７−３１０９３１号公報
【発明の概要】
【発明が解決しようとする課題】
【０００５】
しかしながら、前記従来の構成では、指向性が強く、輝度の高いＬＥＤでは、発光部がユーザーの視野角に入り、強い光を直視して目を傷める危険性があった。
【０００６】
本発明は、前記従来の課題を解決するために、庫内灯の発光方向が視野方向に対して概ね垂直方向となるように取付けることで、強い光が直接、視野角に入ることを防止することができる。
【課題を解決するための手段】
【０００７】
前記従来の課題を解決するために、本発明の高周波加熱装置は、被加熱物を収容する加熱室と、透視部を有するドアを備え、前記加熱室の上壁面もしくは側壁面には、透光性の開口部と、庫内灯を設けた高周波加熱装置において、前記庫内灯の発光方向の中心が、前記加熱室の前記被加熱物の取出し用開口部中心から前方へ３０〜４０ｃｍ程度離れた地点を基準として視野方向に対して１００°以下となるように配置され、前記庫内灯は、複数のＬＥＤ素子が実装された基板で構成され、前記庫内灯を構成する前記ＬＥＤ素子は一列に配列され、前記複数のＬＥＤ素子が一つのセルを構成しこのセルが複数並列に接続され
、前記庫内灯を構成する前記ＬＥＤ素子の配列は前記各セルのＬＥＤ素子が順次配列されるものである。
これによって、ＬＥＤの発光特性上、強い光が視野方向に放射されないようになる。
【発明の効果】
【００１１】
本発明の高周波加熱装置は、指向性が強く、輝度の高いＬＥＤ等を庫内灯に適用する場合においても、ユーザーの目を傷める危険性を防止し、均一な光源により視認性の高い、高周波加熱装置とすることができる。
【図面の簡単な説明】
【００１２】
【図１】（ａ）本発明の高周波加熱装置のドア開放状態の正面斜視図（ｂ）同平面断面図
【図２】庫内灯の第１の取付方法を示す平面断面図
【図３】庫内灯の第２の取付方法を示す平面断面図
【図４】ＬＥＤを実装した基板の配線パターン図
【図５】ＬＥＤを実装した基板の配線パターン図
【発明を実施するための形態】
【００１３】
第１の発明は、被加熱物を収容する加熱室と、透視部を有するドアを備え、前記加熱室の上壁面もしくは側壁面には、透光性の開口部と、庫内灯を設けた高周波加熱装置において、前記庫内灯の発光方向の中心が、前記加熱室の前記被加熱物の取出し用開口部中心から前方へ３０〜４０ｃｍ程度離れた地点を基準として視野方向に対して１００°以下となるように配置され、前記庫内灯は、複数のＬＥＤ素子が実装された基板で構成され、前記庫内灯を構成する前記ＬＥＤ素子は一列に配列され、前記複数のＬＥＤ素子が一つのセルを構成しこのセルが複数並列に接続され、前記庫内灯を構成する前記ＬＥＤ素子の配列は前記各セルのＬＥＤ素子が順次配列されることにより、ＬＥＤの発光特性上、強い光が視野方向に放射されないようにすることができるとともに、ＬＥＤの寿命により回路がオープンとなった場合も全ＬＥＤが消灯するのではなく、セル単位で消灯する。さらに、ＬＥＤセル単位で規則的に配置することで、寿命による消灯が不規則に発生するのを防止し、庫内の明暗の斑を低減することができる。
【００１７】
以下、本発明の実施の形態について、図面を参照しながら説明する。なお、この実施の形態によって本発明が限定されるものではない。
【００１８】
（実施の形態１）
図１（ａ）は、本発明の高周波加熱装置のドア開放状態の正面斜視図、図１（ｂ）同平面断面図である。
【００１９】
同図において、高周波加熱装置１は、ドア１１を開くと被加熱物を加熱する加熱室１０の開口部があり、被加熱物の取出し口となる。加熱室１０の左側壁面には、庫内灯窓１２が形成される。庫内灯窓１２は、加熱室１０の壁面に複数の細かいパンチ孔を形成した透光性の開口部である。また、加熱室１０と外装１５の間の空間には、庫内灯窓１２付近に、庫内灯取付板１４が配置され、庫内灯取付板１４には庫内灯１３が保持される。庫内灯取付板１４は、庫内灯１３を位置決めし、発光方向１０３を固定する。
【００２０】
図２は、庫内灯１３の第１の取付方法を示す平面断面図である。高周波加熱装置１の正面より、およそ３０〜４０ｃｍ程度離れた地点を基準として庫内灯窓１２から見える庫内灯取付部付近の視野範囲１００を破線で示している。図２において、庫内灯窓１２の左端の視野方向を左限視角１０１、庫内灯窓１２の右端の視野方向を右限視角１０２と定義す
る。図２の事例では、庫内灯１３は、庫内灯窓１２の左側に配置されるので、左限視角１０１を基準視野方向として採用する。
【００２１】
ここで、庫内灯１３は、ＬＥＤのような発光体であり、強い指向性を示すものとし、輝度が最も高くなる方向を発光方向１０３と定義する。
【００２２】
ＬＥＤの輝度は、種類によって特性は異なり、発光方向を中心に±４５°程度のものから±８０°程度まで強い輝度を示すものがある。
【００２３】
本実施の形態では、この強い輝度を示す角度から視野方向を外すように庫内灯１３を取付けることを特徴としている。
【００２４】
図２では、基準視野方向である左限視角１０１に対して、発光方向１０３が１００°以下となる様に庫内灯取付板１４の角度を決定し、庫内灯１３を保持するものとしている。
【００２５】
図３は、庫内灯１３の第２の取付方法を示す平面断面図である。図３の事例では、視野範囲１００の外側に庫内灯１３を配置するものとしている。また、発光方向１０３は、庫内中央１０５となるように庫内灯取付板１４の角度を決定し、庫内灯１３を保持するものとしている。
【００２６】
図４は、第１の取付方法により、ＬＥＤを実装した基板の配線パターン図である。単数のＬＥＤ素子２０１では、より強い輝度を要するため、誤って直接視野に入った際、目を傷める危険性が高くなる。また、寿命による劣化や、素子が破壊した際、庫内灯が完全に消灯するため、図４では、複数のＬＥＤ素子２０１を実装することで、これを回避している。さらに、複数のＬＥＤ素子２０１をＬＥＤ基板２００に一列に配置することで、全ＬＥＤ素子２０１の庫内灯窓１２までの距離を同じにすることができ、庫内灯窓１２から加熱室１０に入射する光を均一に広げることができる。
【００２７】
さらに、図４の事例では、ＬＥＤ素子２０１をＬＥＤ基板２００に９個実装しているが、これらを３個１組として３回路の構成としている。但し、２個１組として４回路構成といったように複数のＬＥＤの回路構成は、その数を限定されるものではない。このように、複数のＬＥＤ素子２０１を１組として、複数の回路構成をとることを特徴としている。全ＬＥＤ素子２０１を１回路で構成した場合、１素子が破壊しただけで全素子が消灯してしまう。一方、全素子を独立した回路とすると、複数の素子が破壊した際、光源が不均一となり、加熱室内の明るい部分と暗い部分が斑に現れ、視認性が悪くなる。
【００２８】
本実施の形態の構成においては、均等に配置された、素子が同時に消灯することで、光源が不均一となることを防止することが可能となる。また、照度の低下をユーザーに認知させ易くすることで、庫内灯１３の交換を促すことが可能となる。
【００２９】
図５は、第２の取付方法により、ＬＥＤを実装した基板の配線パターン図である。図５の事例では、図４の事例と同様でＬＥＤ素子２０１を縦一列に配列し、３個１組として３回路の構成としている。本事例では、ＬＥＤ素子２０１の配列を回路単位で交互に配列している。これにより、１回路故障した際、図４の事例と比較して、光源の偏りを軽減することができる。
【産業上の利用可能性】
【００３０】
以上のように、本発明にかかる高周波加熱装置は、強い輝度を維持しつつ消費電力の削減と長寿命化を図ることのできるＬＥＤ庫内灯を安全かつ視認性に優れた実装を実現できることから、高負荷環境で使用されるコンビニエンスストアや大型ファミリーレストラン
の厨房で利用される業務用の各種加熱調理器に適用できる。
【符号の説明】
【００３１】
１  高周波加熱装置（電子レンジ）
１０  加熱室
１１  ドア
１２  庫内灯窓
１３  庫内灯
１４  庫内灯取付板
１５  外装
１０１  左限視角
１０２  右限視角
１０３  発光方向
【図１】
0005593706.tif 000002
【図２】
0005593706.tif 000003
【図３】
0005593706.tif 000004
【図４】
0005593706.tif 000005
【図５】
0005593706.tif 000006